(57)【要約】      （修正有）【課題】モノスパイラルベルト構造により、グリップ性能、ハンドリング性、耐溝底クラック性を同時に改良した二輪車用フロントタイヤの提供。【解決手段】トレッド部２と、一対のサイドウォール部３と、ビード部４とからなり、これら各部をビード部内に埋設されたビードコア７相互間にわたり補強する少なくとも１層のカーカスプライからなるカーカス層５と、１本または複数本のスチールコードを実質的にタイヤ周方向に向かう角度でスパイラル状にタイヤ軸線方向に巻回したスチールモノスパイラルベルト６と、を具備する二輪車用フロント空気入りラジアルタイヤ１である。トレッド部２を構成するゴム組成物がゴム成分１００重量部に対しスチレンブタジエンゴムを６０〜１００重量部含み、該スチレンブタジエンゴム中のスチレン含有量が３０重量％以下であり、かつ貯蔵弾性率Ｅ’が２０ＭＰａ以上４０ＭＰａ以下である。【選択図】図１
2006257239.tif 000002
【特許請求の範囲】
【請求項１】
トレッド部と、該トレッド部の両縁部からタイヤ半径方向内側に配設された一対のサイドウォール部と、該サイドウォール部のタイヤ半径方向内側に連なるビード部とからなり、これら各部をビード部内に埋設されたビードコア相互間にわたり補強する、コードをゴムで被覆した少なくとも１層のカーカスプライからなるカーカス層と、該カーカス層のタイヤ半径方向外側に、被覆ゴムで被覆された１本または複数本のスチールコードを実質的にタイヤ周方向に向かう角度でスパイラル状にタイヤ軸線方向に巻回したスチールモノスパイラルベルトと、を具備する二輪車用フロント空気入りラジアルタイヤにおいて、
前記トレッド部を構成するゴム組成物がゴム成分１００重量部に対しスチレンブタジエンゴムを６０〜１００重量部含み、該スチレンブタジエンゴム中のスチレン含有量が３０重量％以下であり、かつ貯蔵弾性率Ｅ’が２０ＭＰａ以上４０ＭＰａ以下であることを特徴とする二輪車用フロント空気入りラジアルタイヤ。
【発明の詳細な説明】
【技術分野】
【０００１】
本発明は、被覆ゴムで被覆された１本または複数本のスチールコードを実質的にタイヤの周方向に向かう角度でスパイラル状にタイヤ軸線方向に巻回した、所謂スチールモノスパイラルベルト構造を有する二輪車用フロント空気入りラジアルタイヤ（以下単に「タイヤ」とも称する）に関し、詳しくはこのスパイラル構造においてグリップ性能、ハンドリングの軽快性および耐溝底クラック性を同時に改良した二輪車用フロント空気入りラジアルタイヤに関する。
【背景技術】
【０００２】
モノスパイラルベルト構造を二輪車用ラジアルタイヤに採用すると、タイヤの高速耐久性、直進安定性、ユニフォミティ性能等が向上する等、優れた性能を有している一方で、車両が旋回時に重要となるコーナリングフォースや大キャンバー角時のキャンバースラストが従前の交錯ベルト構造に比較して小さくなる傾向がある等、改良すべき点もあることから、従来より種々の技術改良がなされてきた。
【０００３】
例えば、特許文献１では、直進走行性能、高速性能、ユニフォミティ性能などの期待性能を損うことなく優れた旋回操縦性能を発揮するモノスパイラルベルト構造の二輪車用空気入りラジアルタイヤが提案されている。
【０００４】
また、従来、モノスパイラルベルト構造を採用した二輪車用フロント空気入りラジアルタイヤにおけるトレッドゴムには、グリップ性能と耐久性とを両立させるためソフトなコンパウンドが適用されてきた。即ち、スチールコードによるスパイラルベルト構造では、タイヤ周方向にスチールベルトが巻回されているため、直進安定性には優れているが、横力が出にくいため十分なグリップ性能が得られないという構造上の特性があることから、グリップ性能を向上させるためにソフトコンパウンドゴムがトレッドゴムに適用されてきた。
【特許文献１】特開平７−１０８８０５号公報
【発明の開示】
【発明が解決しようとする課題】
【０００５】
しかしながら、トレッドゴムをソフトにし過ぎるとハンドリングの軽快性が薄れてしまうという問題があり、ハンドリングの軽快性という観点からはトレッドゴムはハードなものが望まれる。よって、トレッドゴムにおいては、グリップ性能とハンドリングの軽快性とは２律背反的関係にある。
【０００６】
また、モノスパイラルベルト構造ではタイヤ周方向にスチールベルトが巻回されているため、タイヤクラウン部の曲率半径の小さい二輪車用タイヤでは、耐底溝クラック性を十分に確保することも要求され、グリップ性能およびハンドリングの軽快性に加えこの耐底溝クラック性をも同時に満足することが求められている。
【０００７】
そこで本発明の目的は、モノスパイラルベルト構造による利点を活かしつつ、グリップ性能、ハンドリングの軽快性および耐溝底クラック性を同時に改良した二輪車用フロント空気入りラジアルタイヤを提供することにある。
【課題を解決するための手段】
【０００８】
本発明者は、上記課題を解決するために鋭意検討した結果、スチールモノスパイラルベルト構造を有する二輪車用フロント空気入りラジアルタイヤにおいて、トレッド部を構成するゴム組成物を所定のゴム組成物とすることにより上記目的を達成し得ることを見出し、本発明を完成するに至った。
【０００９】
即ち、本発明の二輪車用フロント空気入りラジアルタイヤは、トレッド部と、該トレッド部の両縁部からタイヤ半径方向内側に配設された一対のサイドウォール部と、該サイドウォール部のタイヤ半径方向内側に連なるビード部とからなり、これら各部をビード部内に埋設されたビードコア相互間にわたり補強する、コードをゴムで被覆した少なくとも１層のカーカスプライからなるカーカス層と、該カーカス層のタイヤ半径方向外側に、被覆ゴムで被覆された１本または複数本のスチールコードを実質的にタイヤ周方向に向かう角度でスパイラル状にタイヤ軸線方向に巻回したスチールモノスパイラルベルトと、を具備する二輪車用フロント空気入りラジアルタイヤにおいて、
前記トレッド部を構成するゴム組成物がゴム成分１００重量部に対しスチレンブタジエンゴムを６０〜１００重量部含み、該スチレンブタジエンゴム中のスチレン含有量が３０重量％以下であり、かつ貯蔵弾性率Ｅ’が２０ＭＰａ以上４０ＭＰａ以下であることを特徴とするものである。
【発明の効果】
【００１０】
本発明によれば、二輪車用フロント空気入りラジアルタイヤのモノスパイラルベルト構造による利点を活かしつつ、グリップ性能、ハンドリングの軽快性および耐溝底クラック性を同時に改良することができる。
【発明を実施するための最良の形態】
【００１１】
以下、本発明の実施の形態を図面を参照して具体的に説明する。
図１は、本発明の一実施の形態に係る二輪車用フロント空気入りラジアルタイヤの断面図である。
【００１２】
図１に示す二輪車用フロント空気入りラジアルタイヤ１は、トレッド部２と、トレッド部２の両縁部からタイヤ半径方向内側に配設された一対のサイドウォール部３と、サイドウォール部３のタイヤ半径方向内側に連なるビード部４とからなる。これら各部は、カーカス層５によりビード部４内に埋設されたビードコア７相互間にわたり補強されている。また、カーカス層５のタイヤ半径方向外側には、タイヤ赤道面に対して実質上平行に螺旋巻き形成されてなる少なくとも１層のスチールスパイラルベルト６が配設されている。
【００１３】
カーカス層５は、タイヤ赤道面に対して６０〜９０度をなすコードをゴムで被覆した少なくとも１層のカーカスプライからなる（図示例では１層）。カーカスプライのコードは、レーヨンコード、ナイロンコード、ポリエステルコードなどの有機繊維コードを好適に用いることができる。
【００１４】
スチールモノスパイラルベルト６は、スチールコードと、その被覆ゴムとからなり、タイヤ１の赤道面と実質上平行に配設される。実質上とは、赤道面Ｅに対するスチールコードの傾斜角度が１°未満であることを意味する。スチールコードは、カーカス層５の外周に１〜５本、好ましくは２〜４本を纏めて螺旋状に巻回するのが好ましい。なお、スチールコードは、スチールモノスパイラルベルト６に適用されている既知のものを使用することができ、特に制限されるべきものではない。
【００１５】
トレッド部は、構成するゴム組成物がゴム成分１００重量部に対しスチレンブタジエンゴムを６０〜１００重量部含み、該スチレンブタジエンゴム中のスチレン含有量が３０重量％以下である。かかるスチレンブタジエンゴムの配合量が６０重量部未満であるとグリップ性が良くない。また、スチレン含有量が３０重量％を超えると耐溝底クラック性の確保が困難となる。
【００１６】
また、本発明においては、３０℃、１％の振動歪の条件下でトレッド部を構成するゴム組成物の貯蔵弾性率Ｅ’が２０ＭＰａ以上４０ＭＰａ以下である。貯蔵弾性率Ｅ’がかかる範囲内のときにトレッドゴムがソフト過ぎず、かつハード過ぎず、グリップ性能とハンドリングの軽快性とを両立させることができる。
【００１７】
上述の本発明に係るゴム組成物に併用することができる他のゴム成分としては、天然ゴム、ポリブタジエンゴム、ポリイソプレンゴム、ＥＰＤＭゴム、ハロゲン化ブチルゴム、ブチルゴム、アクリロニトリル−ブタジエンゴム、アクリロニトリル−スチレン−ブタジエンゴム等を好適に挙げることができる。
【００１８】
また、かかるゴム組成物において、補強性充填剤は特に制限されるものではなく、カーボンブラック、シリカ、アルミナ、水酸化アルミニウム、炭酸カルシウムまたは酸化チタンなどのうち、一種または二種以上使用することができ、カーボンブラックを好適に用いることができる。さらに、上述のゴム成分、補強性充填剤の他に、ゴム工業界で通常使用されている配合剤、例えば、軟化剤、老化防止剤、カップリング剤、加硫剤、加硫促進剤、加硫促進助剤など、通常配合される適当量の配合剤を適宜配合することができる。かかるゴム組成物は、ロールなどの開放式混練機、バンバリーミキサーなどの密閉式混練機等の混練機を用いて混練することによって得られる。
【００１９】
本発明においては、スチールモノスパイラルベルト構造を有する二輪車用フロント空気入りラジアルタイヤのトレッドゴムの改良に係るものであり、他の構造および材質等は特に制限されるべきものではなく、慣用に従うことができる。
【実施例】
【００２０】
以下、本発明を実施例に基づき説明する。
図１に示すスチールスパイラルベルト構造の二輪車用ラジアルタイヤ（タイヤサイズ：１７０／６０ＺＲ１７）を夫々試作した。トレッド部を構成するゴム組成物は、下記の表１に示す配合処方（重量部）に従い調製した。かかるゴム組成物の貯蔵弾性率Ｅ’は、東洋精機社製のレオグラフソリッドを使用して、ゴムサンプルの幅、厚さ、長さが５×２×２０ｍｍ、初期張力２ｋｇ／ｃｍ2、振動歪±１％、振動周波数５０Ｈｚ、測定温度３０℃にて測定した。
【００２１】
次に、供試タイヤを実車に装着し、グリップ性能およびハンドリングの軽快性についてフィーリングにより評価した。評価は１０点満点で点数の高い方が良好である。また、耐溝底クラック性については、実地走行１５０００ｋｍ時点で、溝底クラックが発生するものが×、しわ程度のものは△、溝底に変化のないものは○として評価した。得られた結果を下記の表１に併記する。
【００２２】
【表１】
2006257239.tif 000003
１）ＪＳＲ（株）製  ＳＢＲ１５００
２）ＪＳＲ（株）製  ＢＲ０１
３）旭カーボン（株）製  旭＃７０  
４）日本シリカ製  ニプシルＶＮ３
５）大内新興化学工業（株）製  ノクラック６Ｃ
６）大内新興化学工業（株）製  ノクセラーＤＭ−Ｐ
【図面の簡単な説明】
【００２３】
【図１】本発明の一実施の形態に係る二輪車用フロント空気入りラジアルタイヤの断面図である。
【符号の説明】
【００２４】
１  タイヤ
２  トレッド部
３  サイドウォール部
４  ビード部
５  カーカス層
６  スチールスパイラルベルト
７  ビードコア  
【図１】
2006257239.tif 000004